(57)【要約】【課題】釘打ちの痕が目立つことなく、シンプルな平面形状のデザインを可能とし、低コスト化を実現することのできるドア枠とその施工方法を提供すること。【解決手段】一端部裏面に凹状の掛かり部９を有する額縁芯材２と、裏面のＶカット溝において折り曲げられる化粧板カバー枠３とから形成され、額縁芯材は、壁６の表裏両面における開口部７側の端縁部に、掛かり部を壁の開口部と反対側に配置し、掛かり部と反対側の端面を壁の開口部に臨む端面と面一に配置して配設され、化粧板カバー枠は、一端部３ａを額縁芯材の掛かり部に係合させて額縁芯材から壁の開口部側の端部を巻き込んでいる。【選択図】図１
2008050866.tif 000002
【特許請求の範囲】
【請求項１】
一端部裏面に凹状の掛かり部を有する額縁芯材と、
裏面のＶカット溝において折り曲げられる化粧板カバー枠と、
から形成されるドア枠であって、
額縁芯材は、壁の表裏両面における開口部側の端縁部に、掛かり部を壁の開口部と反対側に配置し、掛かり部と反対側の端面を壁の開口部に臨む端面と面一に配置して配設され、
化粧板カバー枠は、一端部を額縁芯材の掛かり部に係合させて額縁芯材から壁の開口部側の端部を巻き込んでいることを特徴とするドア枠。
【請求項２】
化粧板カバー枠は、二分割された第１の化粧板カバー枠と第２の化粧板カバー枠であり、第１の化粧板カバー枠および第２の化粧板カバー枠はともに別々の額縁芯材の掛かり部に係合する一端部と、壁の開口部に臨む端面上において一定間隔離間して固定される他端部とを有し、裏面のＶカット溝において折れ曲がり、額縁芯材から壁の開口部側の端部を巻き込み、
第１の化粧板カバー枠および第２の化粧板カバー枠の他端部間に凹所が形成され、
戸当りが凹所に装着されたことを特徴とする請求項１に記載のドア枠。
【請求項３】
戸当りは、戸当り用芯材と化粧キャップとを備え、
戸当り用芯材は、突部を裏面部に有するとともに、突部の表面側両側に押さえ部を有し、かつ押さえ部の表面側に凹所を有し、
化粧キャップは、断面コ字型形状を有する部材であり、開放側の端縁部に鍔部を有し、
戸当り用芯材が、突部を凹所に挿入して壁の開口部に臨む端面に装着され、押さえ部により第１の化粧板カバー枠および第２の化粧板カバー枠の他端部が押さえられ、
化粧キャップが、戸当り用芯材の凹所に鍔部を挿入して戸当り用芯材に嵌着されたことを特徴とする請求項２に記載のドア枠。
【請求項４】
一端部裏面に凹状の掛かり部を有する額縁芯材を壁の表裏両面における開口部側の端縁部に、掛かり部を壁の開口部と反対側に配置し、掛かり部と反対側の端面を壁の開口部に臨む端面と面一に配置して配設する第１の工程と、
化粧板カバー枠を所定幅に切断した後、裏面にＶカット溝加工を行う第２の工程と、
化粧板カバー枠を、一端部を額縁芯材の掛かり部に係合させ、裏面のＶカット溝において折り曲げ、額縁芯材から壁の開口部側の端部を巻き込む第３の工程と、
を含むことを特徴とするドア枠の施工方法。
【請求項５】
第２の工程において、切断により第１の化粧板カバー枠および第２の化粧板カバー枠を作製し、
第３の工程において、第１の化粧板カバー枠および第２の化粧板カバー枠のそれぞれの一端部を別々の額縁芯材の掛かり部に係合させ、裏面のＶカット溝において折り曲げ、額縁芯材から壁の開口部側の端部を巻き込むことを特徴とする請求項４に記載のドア枠の施工方法。
【請求項６】
さらに、第１の化粧板カバー枠および第２の化粧板カバー枠のそれぞれの他端部を壁の開口部に臨む端面上において一定間隔離間して固定し、凹所を形成する第４の工程と、
戸当りを凹所に装着する第５の工程と、
を含むことを特徴とする請求項５に記載のドア枠の施工方法。
【請求項７】
第５の工程において、戸当り用芯材を、裏面部の突部を凹所に挿入して壁の開口部に臨む端面に装着し、突部の表面側両側に有する押さえ部により第１の化粧板カバー枠および第２の化粧板カバー枠の他端部を押さえ、押さえ部の表面側に形成された凹所に、断面コ字型形状の化粧キャップの開放側の端縁部に有する鍔部を挿入し、化粧キャップを戸当り用芯材に嵌着することを特徴とする請求項６に記載のドア枠の施工方法。
【発明の詳細な説明】
【技術分野】
【０００１】
本発明は、ドア枠とその施工方法に関する。
【背景技術】
【０００２】
たとえば図８に示したように、部屋と廊下、部屋と部屋等の出入口として壁５０に設けられる開口部５１にドア５２を設置する際には、壁５０の開口部５１側の上端部および左右両端部の三方にドア枠５３が設けられる。ドア枠５３には、これまでに様々なものが提供されている。
【０００３】
たとえば、枠本体と枠半体とから断面コ字型に形成されるドア枠が知られている（特許文献１）。
【０００４】
枠本体は、外面に戸当りを設けた固定片の一方の側端部に額縁片を設けて断面略Ｌ字型に形成され、戸当りの内側に額縁片と反対側の側方へ開口する差込み溝が凹設されている。枠半体は、差込み片の一方の側端部に額縁片を設けて断面Ｌ字型に形成されている。そして、枠本体の額縁片を壁の一方の表面に当接させた状態で壁の開口部の内周面に沿って固定片を固定することによって枠本体を壁の開口部に取り付け、枠半体の差込み片の先端部を枠本体の差込み溝に差し込むとともに、枠半体の額縁片を壁の他方の表面に当接させた状態で枠半体を壁の開口部に取り付け、ドア枠が壁に取り付けられる。
【特許文献１】特開２００６−１２５０１８号公報
【発明の開示】
【発明が解決しようとする課題】
【０００５】
しかしながら、上記ドア枠では、露出する枠半体の固定が差込み片から壁に向けて釘等を打入したり、額縁片から釘を打入したりして行われるので、ドア枠がシンプルな平面形状であるが故に釘打ちの痕が目立つという問題がある。
【０００６】
本発明は、以上の通りの事情に鑑みてなされたものであり、釘打ちの痕が目立つことなく、シンプルな平面形状のデザインを可能とし、低コスト化を実現することのできるドア枠とその施工方法を提供することを課題としている。
【課題を解決するための手段】
【０００７】
本発明のドア枠は、上記の課題を解決するために、以下のことを特徴としている。
【０００８】
第１に、一端部裏面に凹状の掛かり部を有する額縁芯材と、裏面のＶカット溝において折り曲げられる化粧板カバー枠とから形成されるドア枠であって、額縁芯材は、壁の表裏両面における開口部側の端縁部に、掛かり部を壁の開口部と反対側に配置し、掛かり部と反対側の端面を壁の開口部に臨む端面と面一に配置して配設され、化粧板カバー枠は、一端部を額縁芯材の掛かり部に係合させて額縁芯材から壁の開口部側の端部を巻き込んでいる。
【０００９】
第２に、上記において、化粧板カバー枠は、二分割された第１の化粧板カバー枠と第２の化粧板カバー枠であり、第１の化粧板カバー枠および第２の化粧板カバー枠はともに別々の額縁芯材の掛かり部に係合する一端部と、壁の開口部に臨む端面上において一定間隔離間して固定される他端部とを有し、裏面のＶカット溝において折れ曲がり、額縁芯材から壁の開口部側の端部を巻き込み、第１の化粧板カバー枠および第２の化粧板カバー枠の他端部間に凹所が形成され、戸当りが凹所に装着された。
【００１０】
第３に、上記において、戸当りは、戸当り用芯材と化粧キャップとを備え、戸当り用芯材は、突部を裏面部に有するとともに、突部の表面側両側に押さえ部を有し、かつ押さえ部の表面側に凹所を有し、化粧キャップは、断面コ字型形状を有する部材であり、開放側の端縁部に鍔部を有し、戸当り用芯材が、突部を凹所に挿入して壁の開口部に臨む端面に装着され、押さえ部により第１の化粧板カバー枠および第２の化粧板カバー枠の他端部が押さえられ、化粧キャップが、戸当り用芯材の凹所に鍔部を挿入して戸当り用芯材に嵌着された。
【００１１】
また、本発明のドア枠の施工方法は、以下のことを特徴としている。
【００１２】
すなわち、第４に、一端部裏面に凹状の掛かり部を有する額縁芯材を壁の表裏両面における開口部側の端縁部に、掛かり部を壁の開口部と反対側に配置し、掛かり部と反対側の端面を壁の開口部に臨む端面と面一に配置して配設する第１の工程と、化粧板カバー枠を所定幅に切断した後、裏面にＶカット溝加工を行う第２の工程と、化粧板カバー枠を、一端部を額縁芯材の掛かり部に係合させ、裏面のＶカット溝において折り曲げ、額縁芯材から壁の開口部側の端部を巻き込む第３の工程とを含む。
【００１３】
第５に、上記において、第２の工程において、切断により第１の化粧板カバー枠および第２の化粧板カバー枠を作製し、第３の工程において、第１の化粧板カバー枠および第２の化粧板カバー枠のそれぞれの一端部を別々の額縁芯材の掛かり部に係合させ、裏面のＶカット溝において折り曲げ、額縁芯材から壁の開口部側の端部を巻き込む。
【００１４】
第６に、上記において、さらに、第１の化粧板カバー枠および第２の化粧板カバー枠のそれぞれの他端部を壁の開口部に臨む端面上において一定間隔離間して固定し、凹所を形成する第４の工程と、戸当りを凹所に装着する第５の工程とを含む。
【００１５】
第７に、上記において、第５の工程において、戸当り用芯材を、裏面部の突部を凹所に挿入して壁の開口部に臨む端面に装着し、突部の表面側両側に有する押さえ部により第１の化粧板カバー枠および第２の化粧板カバー枠の他端部を押さえ、押さえ部の表面側に形成された凹所に、断面コ字型形状の化粧キャップの開放側の端縁部に有する鍔部を挿入し、化粧キャップを戸当り用芯材に嵌着する。
【発明の効果】
【００１６】
上記第１の発明によれば、額縁芯材を釘等の固着具によって壁に固定しても、化粧板カバー枠が、裏面に形成されたＶカット溝において折り曲がり、額縁芯材から壁の開口部側の端部を巻き込むため、固着具が露出することがない。釘打ちの痕が目立つことはなく、外観は良好である。また、化粧板カバー枠の一端部は額縁芯材の凹状の掛かり部に係合しているので、額縁芯材の掛かり部において釘等の固着具は必要ない。外観は良好に保持される。さらに、ドア枠は、壁の表裏両面における開口部側の端縁部に配設される額縁芯材と、上記化粧板カバー枠とによって形成されるため、接合部のない一体感のあるシンプルな平面形状のデザインのものとなる。低コスト化が実現される。しかも、ドア枠は、開き戸だけでなく引戸のドア枠としても使用することができる。
【００１７】
上記第２の発明によれば、上記の発明の効果に加え、壁厚調整を化粧板カバー枠の幅調整で対応可能であり、壁厚に応じて化粧板カバー枠の幅を調整して切断し、第１の化粧板カバー枠および第２の化粧板カバー枠を作製すればよく、様々な壁厚に対して１品種の化粧板カバー枠で対応することができる。
【００１８】
上記第３の発明によれば、上記の発明の効果に加え、化粧板カバー枠の他端部をピンタッカー等の固着具によって固定しても、戸当り用芯材の押さえ部によって固着具は露出しない。また、戸当り用芯材をピンタッカー等の固着具によって固定しても、化粧キャップにより固着具は露出しない。化粧キャップの装着は嵌着式であり、固着具を必要としない。外観の良好な戸当りであり、戸当りの形成が容易である。
【００１９】
上記第４の発明によれば、上記第１の発明と同様な効果が得られる。
【００２０】
上記第５の発明によれば、上記第２の発明と同様な効果が得られる。
【００２１】
上記第６および７の発明によれば、上記第３の発明と同様な効果が得られる。
【発明を実施するための最良の形態】
【００２２】
図１は、本発明のドア枠の一実施形態を示した要部斜視図である。
【００２３】
ドア枠１は、一対の額縁芯材２と、額縁芯材２の周りに巻き付けられる化粧板カバー枠３として二分割された第１の化粧板カバー枠３１および第２の化粧板カバー枠３２と、戸当り用芯材４と、化粧キャップ５とを備えている。ドア枠１は、壁６の表裏両面における開口部７側の端縁部に取り付けられている。壁６の開口部７を挟んだ対向側の壁にも同様にドア枠１が取り付けられている。
【００２４】
ドア枠１は、次のようにして形成されている。
【００２５】
図２に示したように、壁６の開口部７に臨む端面を、単数または複数枚の下地合板８を釘等の固着具を用いて固定することにより形成する。一端部裏面に切り欠いて形成することのできる凹状の掛かり部９を有する額縁芯材２を、掛かり部９を開口部７と反対側に配置し、掛かり部９と反対側の端面２ａを開口部７に臨む壁６の端面である最外の下地合板８の端面８ａと面一に配置して、釘、タッカー等の固着具１０によって固定する。
【００２６】
なお、図１に示したドア枠１では、額縁芯材２を下地合板８に固定しているが、下地合板８は必要に応じて設けることができるものであり、下地合板８が省略される場合には、額縁芯材２は、壁６そのものの表裏両面における開口部７側の端縁部に直接取り付けることができ、固着具１０は壁６の側端部に位置する縦框１１に打入することができる。
【００２７】
また、額縁芯材２は、たとえば合板、パーティクルボード、ＭＤＦ等の繊維板等から作製することができ、固着具１０の打入位置には溝１２を刻設し、固着具１０の頭部が溝１２内に収まるようにすることができる。
【００２８】
次いで、図３に示した化粧板カバー枠３を用意する。化粧板カバー枠３は、ＭＤＦ等の繊維板等から形成された基材の表面に突板、樹脂シート等の化粧材が貼着された表面に化粧が施されたものである。化粧板カバー枠３は、図１に示した壁６の厚みに応じて幅を調整することができ、所定幅に切断される。そして、裏面には、Ｖカット溝加工が行われ、Ｖカット溝１３として９０°折れ曲がりＶカット溝１３ａおよび面取り用Ｖカット溝１３ｂが所定位置に形成される。
【００２９】
９０°折れ曲がりＶカット溝１３ａで折り曲げ、図４に示したように、化粧板カバー枠３の一端部３ａを額縁芯材２の掛かり部９と壁６の表裏面との間に形成される凹所内に差し込み、接着剤により接着し、固定する。掛かり部９と壁６の表裏面との間に形成される凹所内への挿入および接着によって、化粧板カバー枠３の一端部３ａは額縁芯材２の掛かり部９に係合する。そして、面取り用Ｖカット溝１３ｂにおいて折り曲げ、額縁芯材２から開口部７に臨む最外の下地合板８の端面８ａまで巻き込む。この額縁芯材２の掛かり部９への係合および開口部７に臨む最外の下地合板８の端面８ａまでの巻き込みは、二分割された第１の化粧板カバー枠３１および第２の化粧板カバー枠３２に共通して行われる。第１の化粧板カバー枠３１および第２の化粧板カバー枠３２の巻き込みにより、額縁芯材２を固定した固着具１０が隠れる。
【００３０】
なお、図５に示したように、壁６の厚さやドアの形態によっては、化粧板カバー枠３を二分割せずに、壁６の表裏両面における開口部７側の端縁部に配設された額縁芯材２に跨って開口部７に臨む最外の下地合板８の端面８ａを巻き込んでドア枠１を形成することもできる。このようなドア枠１は、戸当りを必要としない引戸の場合に有効となる。
【００３１】
第１の化粧板カバー枠３１および第２の化粧板カバー枠３２を巻き込んだ後には、図６に示したように、他端部３ｂにおいてピンタッカー等の固着具１４を打入し、第１の化粧板カバー枠３１および第２の化粧板カバー枠３２を固定する。この時、第１の化粧板カバー枠３１および第２の化粧板カバー枠３２の他端部３ｂは一定間隔で離間して配置され、第１の化粧板カバー枠３１および第２の化粧板カバー枠３２の厚さ分の凹所１５が、開口部７に臨む最外の下地合板８の端面８ａ上に形成される。この凹所１５に戸当り用芯材４を装着する。
【００３２】
戸当り用芯材４は、凹所１５に挿入可能な、第１の化粧板カバー枠３１および第２の化粧板カバー枠３２の厚さに略等しい突出代を有する突部１６を裏面部に有する。突部１６の表面側両側には平面状の押さえ部１７を有する。さらに、押さえ部１７の表面側には凹所１８を有する。押さえ部１７および凹所１８は段状に形成されている。このような戸当り用芯材４は適宜な木質材とすることができる。
【００３３】
突部１６を凹所１５内に挿入して戸当り用芯材４を開口部７に臨む最外の下地合板８の端面８ａに装着する。この時、押さえ部１７は、第１の化粧板カバー枠３１および第２の化粧板カバー枠３２の他端部３ｂの上に載置され、第１の化粧板カバー枠３１および第２の化粧板カバー枠３２の固定に用いた固着具１４が隠れる。この状態において、ピンタッカー等の固着具１９を戸当り用芯材４の上面から下地合板８に向けて打入する。戸当り用芯材４の上面部には、ピンタッカーのガンノズルがちょうど入る幅の溝２０を刻設することができ、ピンタッカーを真っ直ぐに打ち込めるようにするとともに、万一打ち損じた場合にも頭部が溝２０内に収まるようにしている。
【００３４】
次いで、化粧キャップ５を、図７に示したように、戸当り用芯材４に嵌着する。化粧キャップ５は、金属、樹脂等の可撓性を有する素材から形成された断面コ字型の部材である。開放側の端縁部は内方に直角に曲がり、鍔部２１が形成されている。化粧キャップ５は、押し込んで撓ませ、内側に戸当り用芯材４を嵌め込み、鍔部２１を戸当り用芯材４の凹所１８内に挿入することにより戸当り用芯材４に嵌着し、図１に示したような戸当り２２が形成される。戸当り用芯材４との間でガタツキが生じないようにし、取付強度を十分確保するために、接着剤を用いて化粧キャップ５を戸当り用芯材４に固定することができる。また、化粧キャップ５の鍔部２１が戸当り用芯材４の凹所１８内に挿入しやすいように、鍔部２１の厚さを他の部位よりも薄くすることができる。具体的には、化粧キャップ５の厚さは一般に１．２ｍｍ程度とすることができ、この場合、鍔部２１の厚さを１．０ｍｍにする。
【００３５】
以上のようにして、図１に示したドア枠１が形成されている。このようなドア枠１では、額縁芯材２を釘等の固着具１０によって壁６に固定しても、化粧板カバー枠３としての第１の化粧板カバー枠３１および第２の化粧板カバー枠３２が、裏面に形成されたＶカット溝１３としての９０°折れ曲がりＶカット溝１３ａおよび面取り用Ｖカット溝１３ｂにおいて折り曲がり、額縁芯材２から壁６の開口部７側の端部を巻き込むため、固着具１０が露出することがない。釘打ちの痕が目立つことはなく、外観は良好である。また、第１の化粧板カバー枠３１および第２の化粧板カバー枠３２の一端部３ａは額縁芯材２の掛かり部９に係合しているので、額縁芯材２の掛かり部９において釘等の固着具は必要ない。外観は良好に保持される。
【００３６】
また、ドア枠１は、戸当り２２を除き、壁６の開口部７側の対向する両側端面に配設される額縁芯材２と、第１の化粧板カバー枠３１および第２の化粧板カバー枠３２とによって形成されるため、接合部のない一体感のあるシンプルな平面形状のデザインのものとなる。低コスト化が実現される。
【００３７】
さらに、壁厚調整を化粧板カバー枠３の幅調整で対応可能であり、様々な壁厚に対して１品種の化粧板カバー枠３で対応することができる。戸当り２２は、通常、部材数を少なくするために幅の一定なものとして提供されるが、化粧板カバー枠３は、壁６の厚さに応じて幅を調整して切断し、幅調整された第１の化粧板カバー枠３１および第２の化粧板カバー枠３２を作製することにより、他端部３ｂ間の間隔を、戸当り２２の突部１６を挿入可能な一定の大きさにすることができる。したがって、様々な壁厚に対して１品種の化粧板カバー枠３で対応することができる。
【００３８】
さらにまた、第１の化粧板カバー枠３１および第２の化粧板カバー枠３２の他端部３ｂをピンタッカー等の固着具１４によって固定しても、戸当り用芯材４の押さえ部１７によって固着具１４は露出しない。そして、戸当り用芯材４をピンタッカー等の固着具１９によって固定しても、化粧キャップ５により固着具１９は露出しない。化粧キャップ５の装着は嵌着式であり、固着具を必要としない。したがって、外観の良好な戸当り２２であり、戸当り２２の形成が容易である。
【図面の簡単な説明】
【００３９】
【図１】本発明のドア枠の一実施形態を示した要部斜視図である。
【図２】図１に示したドア枠の施工工程を示した要部断面図である。
【図３】化粧板カバー枠について示した断面図である。
【図４】図１に示したドア枠の施工工程を示した要部断面図である。
【図５】本発明のドア枠の別の実施形態を示した要部断面図である。
【図６】図１に示したドア枠の施工工程を示した要部断面図である。
【図７】図１に示したドア枠の施工工程を示した要部断面図である。
【図８】ドアとドア枠を示した斜視図である。
【符号の説明】
【００４０】
１  ドア枠
２  額縁芯材
３  化粧板カバー枠
３ａ  一端部
３ｂ  他端部
３１  第１の化粧板カバー枠
３２  第２の化粧板カバー枠
４  戸当り用芯材
５  化粧キャップ
６  壁
７  開口部
９  掛かり部
１３  Ｖカット溝
１５  凹所
１６  突部
１７  押さえ部
１８  凹所
２１  鍔部
２２  戸当り
【図１】
2008050866.tif 000003
【図２】
2008050866.tif 000004
【図３】
2008050866.tif 000005
【図８】
2008050866.tif 000006
【図４】
2008050866.tif 000007
【図５】
2008050866.tif 000008
【図６】
2008050866.tif 000009
【図７】
2008050866.tif 000010